【事件の表示】
　特願２００７−１２０３３２「作業指示計量装置」拒絶査定不服審判事件〔平成２０年１１月１３日出願公開、特開２００８−２７５４８４〕
について、次のとおり審決する。
【結　論】
　本件審判の請求は、成り立たない。
【理　由】
【第１−手続経緯の概要】
　本件出願及び本件審判請求の手続経緯の概要は、次のとおりである。
平成１９年　４月２７日：本件出願
平成２２年　２月１０日：審査請求
平成２３年　９月２７日：拒絶理由の通知（起案日：同年同月１６日）
平成２３年１１月２４日：意見・補正（特許請求の範囲、明細書）
平成２３年１２月１３日：拒絶査定の謄本送達（起案日：同年同月７日）
平成２４年　３月　６日：本件審判請求
　
【第２−本件出願発明】
　本件出願の請求項１〜４に係る発明は、平成２３年１１月２４日付け補正により補正された特許請求の範囲の請求項１〜４に記載されたとおりのものであるところ、その請求項１に係る発明（以下「本件出願発明１」という）は、次のとおりのものであると認める。
（本件出願発明１）
「載置された材料の重量を計量する計量部と、
　少なくとも、計量対象となる複数の配合材料を指定するそれぞれの材料識別情報と該各配合材料の計量すべき値を表す指示重量値とを含む計量指示情報を配合計量作業毎に読み出し可能に記憶する記憶手段と、
　前記計量部による計量を制御する制御手段と、
　を備え、
　前記制御手段は、
　前記記憶手段から前記計量指示情報を読み出して表示部に表示し、前記計量部により前記各配合材料の計量を行い、該計量値が前記読み出した計量指示情報に従っていると判断した計量結果を前記計量指示情報に対応付けて作業履歴記憶部に記録する通常モードと、
　前記通常モードによる配合計量作業に対して調整をする旨の操作がなされた場合には、前記計量指示情報に設定されていない材料も選択可能として前記計量部により配合材料の計量を行い、該配合材料の計量結果を前記通常モードによる配合計量作業と一連の配合計量作業として前記作業履歴記憶部に記録する調整モードと、
　によって前記計量部による計量を制御する
　ことを特徴とする作業指示計量装置。」
　
【第３−原査定の拒絶の理由の概要−容易想到性】
　原査定の拒絶の理由の概要は、本件出願発明１が、本件出願の出願前に日本国内において頒布された刊行物である、特開平９−１４５４５８号公報（以下『引用文献１』という）、特開平１１−８０６２５号公報（以下『引用文献２』という）、及び特開２００３−４５１８号公報（以下『引用文献３』という）に記載された発明に基づいて、本件出願の出願前に本件出願の発明の属する技術の分野における通常の知識を有する者が容易に発明をすることができたものであるから、特許法第２９条第２項の規定により特許を受けることができないというものである。
　
【第４−引用文献１に記載された事項−引用発明１】
（４−１−引用文献１に記載された事項）
　引用文献１には、次のことが記載されている。
『【特許請求の範囲】
【請求項１】
  被秤量物が載置される受け台と、該受け台に及ぼされる荷重に応じた荷重信号を出力する荷重信号出力手段と、文字や記号等を表示する表示手段と、前記荷重信号に基づいて前記被秤量物の重量を算出し該重量の表示を前記表示手段に指示する制御手段とを備える秤量器において、
　複数種類の組成物のそれぞれについて、組成物を識別するための識別記号、該組成物を構成する成分名および各成分の配合比率をリンクさせた配合データを記憶する記憶手段と、
　該記憶手段からデータを読出す読出し手段と、
　前記識別記号、前記組成物の調合量および前記成分の選択指令を入力するための入力手段と、
　音声を出力する音声出力手段とを設けると共に、前記制御手段は、
　前記入力手段により入力された前記識別記号の前記配合データの読出しを前記読出し手段に指示し、
　前記入力手段から入力された調合量と前記読出された配合データから前記成分毎の配合量を算出し、
　前記読出された配合データの識別記号、成分名および配合比率、前記配合量並びに前記調合量の表示を前記表示手段に指示し、
　前記入力手段により前記成分の選択指令が入力された際には該選択指令された前記成分名を選択状態として表示することを前記表示手段に指示し、
　該選択状態にある前記成分の配合量に相当する重量を前記荷重信号に基づいて算出したときに前記音声出力手段に適量通報音の出力を指示する構成であることを特徴とする秤量器。
【請求項２】
  請求項１記載の秤量器において、
　前記記憶手段にデータを書き込む書き込み手段を設け、
　前記入力手段は、さらに前記成分名および前記配合比率と書き込み指令を入力可能とし、
　前記制御手段は、前記識別記号、前記成分名および前記配合比率と前記書き込み指令が入力されると、該入力された識別記号、成分名および配合比率により前記配合データを構築して、前記書き込み手段に指示して該配合データを前記記憶手段に書き込ませることを特徴とする秤量器。
【請求項３】
　請求項２記載の秤量器において、
　前記記憶手段は、前記秤量器本体に対して着脱可能な記録担体であり、
　前記読出し手段および書き込み手段は該記録担体のドライブであることを特徴とする秤量器。
【発明の詳細な説明】
【０００１】
【発明の属する技術分野】
　本発明は、秤量器に関する。
【０００２】
【従来の技術】
　従来、被秤量物が載置される受け台、受け台に及ぼされる荷重に応じた荷重信号を出力する荷重信号出力手段、文字や記号等を表示する表示手段、荷重信号に基づいて被秤量物の重量を算出し該重量の表示を表示手段に指示する制御手段とを備える秤量器があり、電子天秤、電子秤量器等とよばれている。
【０００３】
　この種の秤量器は、操作が簡単で精度が良いことからさまざまな場面で使用されている。
【０００４】
【発明が解決しようとする課題】
　従来、例えば複数の成分を秤量して薬品等の組成物を調合する場合には、調合しようとする量（調合重量）に各成分の配合比率を乗じて各成分の配合重量を計算してから、その配合重量を秤量するという手順が必要であった。
【０００５】
　この発明は、従来の電子秤量器に新しい機能を付加することにより、成分の配合比率が分かっている組成物を調合するための秤量作業を簡単にすることを目的としている。
【０００６】
【課題を解決するための手段】
　上記課題を解決するための手段として、請求項１記載の秤量器は、被秤量物が載置される受け台と、該受け台に及ぼされる荷重に応じた荷重信号を出力する荷重信号出力手段と、文字や記号等を表示する表示手段と、前記荷重信号に基づいて前記被秤量物の重量を算出し該重量の表示を前記表示手段に指示する制御手段とを備える秤量器において、複数種類の組成物のそれぞれについて、組成物を識別するための識別記号、該組成物を構成する成分名および各成分の配合比率をリンクさせた配合データを記憶する記憶手段と、該記憶手段からデータを読出す読出し手段と、前記識別記号、前記組成物の調合量および前記成分の選択指令を入力するための入力手段と、音声を出力する音声出力手段とを設けると共に、前記制御手段は、前記入力手段により入力された前記識別記号の前記配合データの読出しを前記読出し手段に指示し、前記入力手段から入力された調合量と前記読出された配合データから前記成分毎の配合量を算出し、前記読出された配合データの識別記号、成分名および配合比率、前記配合量並びに前記調合量の表示を前記表示手段に指示し、前記入力手段により前記成分の選択指令が入力された際には該選択指令された前記成分名を選択状態として表示することを前記表示手段に指示し、該選択状態にある前記成分の配合量に相当する重量を前記荷重信号に基づいて算出したときに前記音声出力手段に適量通報音の出力を指示する構成であることを特徴とする。
【０００７】
　請求項２記載の秤量器は、請求項１記載の秤量器において、前記記憶手段にデータを書き込む書き込み手段を設け、前記入力手段は、さらに前記成分名および前記配合比率と書き込み指令を入力可能とし、前記制御手段は、前記識別記号、前記成分名および前記配合比率と前記書き込み指令が入力されると、該入力された識別記号、成分名および配合比率により前記配合データを構築して、前記書き込み手段に指示して該配合データを前記記憶手段に書き込ませることを特徴とする。
【０００８】
　請求項３記載の秤量器は、請求項２記載の秤量器において、前記記憶手段は、前記秤量器本体に対して着脱可能な記録担体であり、前記読出し手段および書き込み手段は該記録担体のドライブであることを特徴とする。
【０００９】
【発明の実施の形態】
　上記の構成になる請求項１記載の秤量器においては、記憶手段は、複数種類の組成物のそれぞれについて、組成物を識別するための識別記号、該組成物を構成する成分名および各成分の配合比率をリンクさせた配合データを記憶している。
【００１０】
　入力手段により識別記号と組成物の調合量が入力されると、制御手段は、入力手段により入力された識別記号の配合データの読出しを読出し手段に指示する。読出し手段は、制御手段の指示に応じて、記憶手段からデータを読出す。制御手段は、入力手段から入力された調合量と読出し手段によって読出された配合データから成分毎の配合量を算出し、読出された配合データの識別記号、成分名および配合比率、配合量並びに調合量の表示を表示手段に指示する。表示手段は、制御手段の指示に応じて、識別記号、成分名および配合比率、配合量並びに調合量を表示する。これにより、調合作業に当たって配合比率から配合量を計算する手間は不要となる。
【００１１】
　さらに、制御手段は、入力手段により成分の選択指令が入力された際には選択指令された成分名を選択状態として表示することを表示手段に指示し、表示手段は、この指示に応じた表示をする。具体的な例としては、選択された成分名を反転表示したり、その成分名の頭に矢印などの符号を表示することが挙げられる。
【００１２】
　そして、制御手段は、選択状態にある成分の配合重量に相当する重量を荷重信号に基づいて算出したときに音声出力手段に適量通報音の出力を指示する。配合重量に相当する重量は、増加した重量（受け台に載せられた重量）であっても減少した重量（受け台から取り去られた重量）であっても構わない。音声出力手段は、この指示に応じて、適量通報音例えば「ピー、ピー」という音声を出力する。
【００１３】
　調合作業者は、この適量通報音によりこの成分の秤量ができたことを知ることができる。したがって、秤量器の重量表示を見ながら作業する必要はない。また、秤量が過剰になった場合には、「ピッ、ピッ」等、適量通報音とは異なる音声を出力する構成とすれば、過剰であることを通報できる。
【００１４】
　第１の成分の秤量ができたなら、第２の成分、第３の成分と順に選択して同様のことを繰り返せば、各成分をそれぞれの配合量で秤量できる。このように、組成物の秤量作業が簡単に実施できる。請求項２記載の秤量器においては、入力手段により、識別記号、成分名および配合比率と書き込み指令が入力されると、制御手段は、入力された識別記号、成分名および配合比率により配合データを構築し、書き込み手段に指示して配合データを記憶手段に書き込ませる。書き込み手段は、制御手段の指示に応じて、記憶手段に配合データを書き込む。
【００１５】
　このように構成すると、例えば新規な組成物の調合を試みる場合などに、その配合比率をデータとして保存し、繰り返し使用することが可能となる。請求項３記載の秤量器においては、データ記憶手段は、秤量器本体に対して着脱可能な記録担体であり、読出し手段および書き込み手段はこの記録担体のドライブであるので、例えば組成物の分類毎に記録担体を異ならせて、配合データを整理することが可能となる。
【００１６】
【具体例】
　次に、本発明の一具体例を図面を参照して説明する。図１に示すように、この具体例の秤量器１０は、矩形の受け台１２、液晶表示器１４、スイッチキー１６、選択キー１８、確定キー２０、０値キー２２、切換キー２４、印刷キー２６、文字キー２８、メモリカード用のドライブ３０ａ、３０ｂ、プリンタ３２等を備えている。
【００１７】
　受け台１２は、被秤量物を載置するための台であり、図２に示すように、荷重検出部３４を備えている。荷重検出部３４は、秤量器１０内部の受け台１２の直下となる位置に配されており、受け台１２に及ぼされる荷重に応じた荷重信号を出力する構成で、その荷重信号は秤量器１０の内部に設置されているＣＰＵ３６に入力される。ＣＰＵ３６は、ＲＯＭ、ＲＡＭ等（いずれも図示略）を備えるワンチップマイコンであり、秤量器１０の中枢となっている。
【００１８】
　図２に示されるように、液晶表示器１４、スイッチキー１６、選択キー１８、確定キー２０、０値キー２２、切換キー２４、印刷キー２６、文字キー２８、メモリカード用のドライブ３０ａ、３０ｂおよびプリンタ３２はＣＰＵ３４に接続されている。
【００１９】
　秤量器１０の使用者は、スイッチキー１６により秤量器１０の起動、停止を操作でき、選択キー１８、確定キー２０、０値キー２２、切換キー２４、印刷キー２６および文字キー２８を操作して各種の指令やデータを入力することができる。文字キー２８には０〜９の数字キー、小数点キー、＋、−等の符号キー等があり、切換キー２４を操作することにより、数字キーをアルファベットキーとして使用できる。詳しくは、１を示す数字キーにＡ、Ｂ、Ｃ、２を示す数字キーにＤ、Ｅ、Ｆというように１〜８の数字キーに各３文字、９の数字キーに２文字のアルファベットが割り当てられていて、各数字キーを１回押す毎に、例えばＡ→Ｂ→Ｃ→Ａ→Ｂ→Ｃのように、アルファベットを順々に選択できる。
【００２０】
　ドライブ３０ａ、３０ｂは、ＲＯＭカードやＲＡＭカード用のドライブであり、ＣＰＵ３６は、ドライブ３０ａ、３０ｂを介してＲＯＭカードやＲＡＭカードに書き込まれているデータを読み取ることができ、ＲＡＭカードに書き込むことができる。
【００２１】
　また、ＣＰＵ３６は、液晶表示器１４に表示用のデータを送って表示させ、プリンタ３２に印刷用のデータを送って印刷させることや、スピーカ３８に信号を送って音声出力させることができる。次に、印刷インクの調合のための秤量を例にして、この秤量器１０の動作について説明する。なお、以下の例では、印刷用インクの色番号に対応するコードとこの色番号のインクを調合するために使用する成分インクの色名（ＣＹＡＮ（シアン）、ＭＡＧＥＮＴＡ（マゼンタ）、ＹＥＬＬＯＷ（イエロー）、ＢＬＡＣＫ（ブラック）、ＭＥＤＩＵＭ（メジューム）、ＫＩＮ−ＡＫＡ（金赤）、ＢＥＮＩ（紅）、ＧＲＥＥＮ（グリーン）等）、それら成分インクの配合比率からなる配合データが予め書き込まれているＲＡＭカードが、予めドライブ３０ａに挿入されている。
【００２２】
　スイッチキー１６により秤量器１０が起動されると、図３に示すように、ＣＰＵ３６は、液晶表示器１４に「秤量」および「データ操作」を表示させて、モード選択を待つ（ステップ１１０、以下ステップをＳと記す）。ここで使用者は、選択キー１８を操作して「秤量」または「データ操作」を選択し確定キー２０を押して「秤量」または「データ操作」を指令できる。なお、確定キー２０に先だって０値キー２２を押せば、選択を取り消して再度選択し直すことができる。こうした入力や選択の確定（確定キー２０を押す）または取消（０値キー２２を押す）は、以下の入力操作や選択操作にも同様である。以下、確定キー２０の操作によって選択や文字等の入力が確定するまでの操作を、単に「選択する」、「入力する」等と記す。
【００２３】
　「秤量」または「データ操作」が選択されると、ＣＰＵ３６はこの選択に応じて秤量ルーチン（Ｓ１２０）またはデータ操作ルーチン（Ｓ１３０）を実行する。まず「秤量」が選択されたとして、秤量ルーチンについて説明する。
【００２４】
　図４に示すように、ＣＰＵ３６は、秤量ルーチンを開始すると、コード入力を待つ（Ｓ２１０）。使用者が文字キー２８を操作してコード（例えば００１）を入力すると、ＣＰＵ３６は、このコードの配合データをドライブ３０ａに挿入されているＲＡＭカードから読み取る（Ｓ２２０）。なお、ＣＰＵ３６が、予めＲＡＭカードのコードだけを読み取って、コードの一覧を液晶表示器１４に表示させておいて、使用者が液晶表示器１４の画面上でコードを選択することにより入力する形式なども可能である。
【００２５】
　次に、ＣＰＵ３６は、読み取った配合データに基づいて表示用のデータを作成し、液晶表示器１４に送って表示させる（Ｓ２３０）。液晶表示器１４には、図５に示されるような表示がされる。ただし、この段階では、コード１４ａ、ＣＹＡＮ、ＭＡＧＥＮＴＡ、・・・ＧＲＥＥＮの色名１４ｄ、それらの百分率による配合比率１４ｅは表示されるが、調合量１４ｂ、成分別の秤量１４ｃ、成分別の配合量１４ｆは空白とされている。
【００２６】
　次に、ＣＰＵ３６は、文字キー２８が操作されて調合量（例えば２３０ｇ）が入力されるのを待つ（Ｓ２４０）。次に、ＣＰＵ３６は、入力された調合量と配合比率により、各成分インクの配合量を算出し、図５に示されるように、液晶表示器１４に指示して、調合量１４ｂおよび配合量１４ｆも表示させる（Ｓ２５０）。
【００２７】
　次に、ＣＰＵ３６は、色名が選択されるのを待つ（Ｓ２６０）。詳しくは、ＣＰＵ３６は、液晶表示器１４に指示して、例えばＣＹＡＮの項目を反転表示させておいて、ここで選択キー１８が操作される毎に、ＭＡＧＥＮＴＡ、ＹＥＬＬＯＷ、・・・ＧＲＥＥＮと、反転表示させる項目を順に下方へと移動させ、０値キー２２が操作される毎に反転表示させる項目を順に上方へ移動させて、いずれかの位置で確定キー２０が押されると、その色名の成分が選択されたとして、次のＳ２７０に進む。なお、液晶表示器１４の表示は、選択キー１８または０値キー２２が１回押される毎に、図５において破線で囲んだ部分が上下にスクロールされる。
【００２８】
　Ｓ２７０では、ＣＰＵ３６は、受け台１２に例えば成分インクのインク缶が載せられて、０値キー２２が押されるのを待つ。そして、０値キー２２が押されたなら（Ｓ２７０：ＹＥＳ）、ＣＰＵ３６は、その時の荷重検出部３４からの荷重信号に基づいて算出される重量を０値として記憶する（Ｓ２８０）。
【００２９】
　その後、ＣＰＵ３６は、荷重検出部３４からの荷重信号によって受け台１２にかかる荷重が変化したことを知ると（Ｓ２９０：ＹＥＳ）、その変化量（０値からの増加または減少）を、液晶表示器１４に秤量１４ｃとして表示させる（図５参照）。
【００３０】
　この変化量が、目標とする秤量値（Ｓ２６０でＣＹＡＮが選択されたとして、ＣＹＡＮの配合量（８０．５ｇ））と一致していたなら（Ｓ３１０：ＹＥＳ）、ＣＰＵ３６は、スピーカ３８から適量音（「ピー、ピー」）を出力して、適量であることを通報する（Ｓ３２０）。そして、Ｓ２１０で入力されたコードの成分インク中で秤量の対象となるものすべて、図５の例ではＣＹＡＮ、ＭＡＧＥＮＴＡ、ＹＥＬＬＯＷ、ＫＩＮ−ＡＫＡ、ＧＲＥＥＮのすべてが秤量されたかを判断し、まだ秤量されていない成分インクがあればＳ２１０に回帰し、成分インクの秤量がすべて済んでいればこの秤量ルーチンを終了する。
【００３１】
　また、Ｓ３１０で秤量が目標値とは一致しないと判断した場合には、ＣＰＵ３６は、秤量が目標値を越えているかを判断し（Ｓ３４０）、過剰でなければＳ２９０に戻る。一方、過剰であれば（Ｓ３４０：ＹＥＳ）、ＣＰＵ３６はスピーカ３８から過剰音（「ピッ、ピッ」）を出力し（Ｓ３５０）、Ｓ２９０に戻る。
【００３２】
　このように、調合しようとするインクのコードおよび調合量を入力すると、そのインクを調合するための成分インクの配合比率と配合量が表示され、受け台１２上の重量変化（秤量）が成分インクの配合量と一致すると通報音が出力されるので、成分インク毎の秤量作業を簡単且つ正確に実施できる。
【００３３】
　次に、図３に示されるＳ１１０で「データ操作」が選択されたとして、データ操作ルーチンについて説明する。図６に示すように、ＣＰＵ３６は、データ操作ルーチンを開始すると、新規作成または修正の指示が入力されるのを待つ（Ｓ５１０）。新規作成の指示であれば（Ｓ５１０：ＹＥＳ）、ＣＰＵ３６は、コードが入力されるのを待ち（Ｓ５２０）、そのコードを液晶表示器１４に表示させ（Ｓ５３０）、コードを記憶する（Ｓ５４０）。
【００３４】
　次に、ＣＰＵ３６は、成分名が入力されたなら（Ｓ５５０：ＹＥＳ）液晶表示器１４にそれを表示させ（Ｓ５６０）、その成分の配合比率が入力されたなら（Ｓ５７０：ＹＥＳ）液晶表示器１４にそれを表示させる（Ｓ５８０）。続いて、ＣＰＵ３６は、この成分名と配合比率を記憶する（Ｓ５９０）。
【００３５】
　次に、ＣＰＵ３６は、それまでに入力された各成分の配合比率の合計が１００％になっていなければ（Ｓ６００：ＮＯ）Ｓ５５０に戻り、配合比率の合計が１００％になっていたなら（Ｓ６００：ＹＥＳ）、入力されたコード、成分名、配合比率を、新規な配合データとしてＲＡＭカードに書き込む。
【００３６】
　なお、Ｓ６００において、配合比率が１００％になっていない場合などに、キー操作で入力終了を指示することにより、その状態の配合データをＲＡＭカードに書き込ませることもできる。一方、Ｓ５１０で新規ではない、すなわち既に作成されている配合データの修正が指示された場合には、ＣＰＵ３６は、その修正の対象とされる配合データのコードが入力されるのを待つ（Ｓ６３０）。そして、コードが入力されたなら、ＣＰＵ３６は、そのコードで特定される配合データをＲＡＭカードから読み取って（Ｓ６４０）、その内容を液晶表示器１４に表示させる（Ｓ６５０）。
【００３７】
　次に、ＣＰＵ３６は、修正項目が選択された（Ｓ６６０：ＹＥＳ）、修正内容が入力されると（Ｓ６７０：ＹＥＳ）、その内容をその内容を液晶表示器１４に表示させる（Ｓ６８０）。ＣＰＵ３６は、修正内容を記憶して（Ｓ６９０）、修正完了を指示されたなら（Ｓ７００：ＹＥＳ）、ＲＡＭカードの記録を更新する。また、修正完了でなければ、ＣＰＵ３６はＳ６６０に戻って、上述と同様の処理を繰り返す。
【００３８】
　このように、配合データを作成したり、既に存在する配合データを修正することができるので、試行錯誤的にインクを調合する場合などの記録と過去のデータの利用が簡単に行える。また、例えばドライブ３０ｂに、別のＲＡＭカードやＲＯＭカードを挿入しておいて、これらに書き込まれている配合データを読み取り、それをそのままあるいは修正してドライブ３０ａのＲＡＭカードに転記することもできる。
【００３９】
　以上、具体例に従って、本発明の実施の形態について説明したが、本発明はこのような具体例に限定されるものではなく、本発明の要旨を逸脱しない範囲でさまざまに実施できることは言うまでもない。具体例ではインクの調合における秤量作業を説明しているが、この秤量器は、薬品、調味料等さまざまな調合作業にともなう秤量に使用できる。
【００４０】
【発明の効果】
　以上説明したように、請求項１記載の秤量器によれば、調合作業に当たって配合比率から配合量を計算する手間は不要となり、組成物の秤量作業を正確且つ簡単に実施できる。
【００４１】
　請求項２記載の秤量器によれば、例えば新規な組成物の調合を試みる場合などに、その配合比率をデータとして保存し、繰り返し使用することが可能となる。請求項３記載の秤量器によれば、例えば組成物の分類毎に記録担体を異ならせて、配合データを整理することが可能となる。
【図面の簡単な説明】
【図１】  具体例の秤量器の斜視図である。
【図２】  具体例の秤量器の電気的な構成のブロック図である。
【図３】  具体例の秤量器のＣＰＵが実行するメインルーチンのフローチャートである。
【図４】  具体例の秤量器のＣＰＵが実行する秤量ルーチンのフローチャートである。
【図５】  具体例の秤量器の液晶表示器の表示例の説明図である。
【図６】  具体例の秤量器のＣＰＵが実行するデータ操作ルーチンのフローチャートである。』
　
（４−２−引用発明１）
　上記の（４−１−引用文献１に記載された事項）を総合すると、引用文献１には、次の発明（以下『引用発明１』という）が記載されていると認められる。
（引用発明１）
『被秤量物を載置する受け台（１２）と、受け台（１２）の荷重に応じた信号を出力する荷重信号出力手段（荷重検出部３４）と、荷重信号に基づいて被秤量物の重量を算出し重量の表示を表示手段（液晶表示器１４）に指示する制御手段（ＣＰＵ３６）とを備える秤量器（１０）において、
　複数種類の組成物（例えば、インク、薬品、調味料等）を識別するための識別記号（コード１４ａ）、組成物を構成する成分名（１４ｄ）及び各成分の配合比率（１４ｅ）をリンクする配合データを記憶する記憶手段（ＲＡＭカード）と、
　記憶手段（ＲＡＭカード）に対して、配合データを読み出し書き込みする読み出し書き込み手段（ドライブ３０ａ、３０ｂ）と、
　秤量器（１０）の起動・停止用のスイッチキー（１６）、各種の指令・データ入力用の選択キー（１８）、確定キー（２０）、０値キー（２２）、切換キー（２４）、印刷キー（２６）および文字キー（２８）と、
　通報音を発する音声出力手段（スピーカ３８）とを備え、
　秤量モード（秤量ルーチン１２０）が選択された場合、組成物を識別するための識別記号（コード１４ａ）及び調合量（１４ｂ）が入力されると、制御手段（ＣＰＵ３６）は、組成物の識別記号（コード１４ａ）、調合量（１４ｂ）、成分名（１４ｄ）、配合比率（１４ｅ）及び配合量（１４ｆ）を表示手段（液晶表示器１４）に表示させ、各成分の秤量作業が順次実施される毎に各成分について、受け台（１２）上の重量変化（秤量１４ｃ）を表示手段（液晶表示器１４）に表示させつつ、各成分の配合量（１４ｆ）と一致すると音声出力手段（スピーカ３８）に適量通報音を発するようにさせ、
  データ操作モード（データ操作ルーチン１３０）が選択され、配合データの修正がされる場合、修正の対象の組成物を識別するための識別記号（コード１４ａ）が入力されると、制御手段（ＣＰＵ３６）は、識別記号（コード１４ａ）で特定される配合データを記憶手段（ＲＡＭカード）から読み出し書き込み手段（ドライブ３０ａ、３０ｂ）を介して読み取って、配合データの内容を表示手段（液晶表示器１４）に表示させ、修正項目が選択されて修正内容が入力されると、修正内容を表示手段（液晶表示器１４）に表示させ修正完了まで修正内容を記憶しつつ、修正完了時には読み出し書き込み手段（ドライブ３０ａ、３０ｂ）を介して記憶手段（ＲＡＭカード）の配合データを更新させることにより、既に存在する配合データを利用し修正し記憶することを可能にして、試行錯誤的に組成物を調合することを簡単化した、
　秤量器（１０）。』
　
【第５−対比−本件出願発明１−引用発明１】
（５−１−発明特定事項についての対比）
　本件出願発明１と引用発明１とに関し、各発明特定事項について対比すると、次のとおりである。
（５−１−１）
　本件出願発明１の「載置された材料の重量を計量する計量部」と、引用発明１の『被秤量物を載置する受け台（１２）と、受け台（１２）の荷重に応じた信号を出力する荷重信号出力手段（荷重検出部３４）と、荷重信号に基づいて被秤量物の重量を算出し重量の表示を表示手段（液晶表示器１４）に指示する制御手段（ＣＰＵ３６）とを備える秤量器（１０）』とを対比する。
　引用発明１の『被秤量物を載置する受け台（１２）と、受け台（１２）の荷重に応じた信号を出力する荷重信号出力手段（荷重検出部３４）と、荷重信号に基づいて被秤量物の重量を算出し重量の表示を表示手段（液晶表示器１４）に指示する制御手段（ＣＰＵ３６）とを備える秤量器（１０）』は、本件出願発明１の「載置された材料の重量を計量する計量部」に包含される概念である。
　よって、上記発明特定事項に関しては両者に相当関係が有る。
　
（５−１−２）
　本件出願発明１の「少なくとも、計量対象となる複数の配合材料を指定するそれぞれの材料識別情報と該各配合材料の計量すべき値を表す指示重量値とを含む計量指示情報を配合計量作業毎に読み出し可能に記憶する記憶手段」と、引用発明１の『複数種類の組成物（例えば、インク、薬品、調味料等）を識別するための識別記号（コード１４ａ）、組成物を構成する成分名（１４ｄ）及び各成分の配合比率（１４ｅ）をリンクする配合データを記憶する記憶手段（ＲＡＭカード）』とを対比する。
　引用発明１の『組成物を構成する成分名（１４ｄ）』は、本件出願発明１の「計量対象となる複数の配合材料を指定するそれぞれの材料識別情報」に相当する。
　引用発明１の『各成分の配合比率（１４ｅ）』は、本件出願発明１の「該各配合材料の計量すべき値を表す指示重量値」に対応するものである。前者は相対値であって、後者は絶対値である点で相異するが、両者は、各配合材料の計量すべき値を表す指示値、である点で共通するものである。
　引用発明１の『配合データを記憶する記憶手段（ＲＡＭカード）』は、秤量モード（秤量ルーチン１２０）で、各成分の秤量作業が順次実施される際に、読み出し書き込み手段（ドライブ３０ａ、３０ｂ）を介して、配合データが読み出されるものであるから、本件出願発明１の「計量指示情報を配合計量作業毎に読み出し可能に記憶する記憶手段」に相当する。
　よって、上記発明特定事項に関しては、少なくとも、計量対象となる複数の配合材料を指定するそれぞれの材料識別情報と該各配合材料の計量すべき値を表す指示値とを含む計量指示情報を配合計量作業毎に読み出し可能に記憶する記憶手段、である点で両者は共通する。
　しかし、記憶手段に記憶される計量指示情報に含まれる各配合材料の計量すべき値を表す指示値に関し、本件出願発明１が「指示重量値」と特定されているように絶対値であるのに対し、引用発明１では『配合比率（１４ｅ）』と特定されているように相対値である点で相異する。
　
（５−１−３）
　本件出願発明１の「計量部による計量を制御する制御手段」と、引用発明１の『制御手段（ＣＰＵ３６）』とを対比する。
　引用発明１の『制御手段（ＣＰＵ３６）』は、重量算出、重量表示、配合データの利用・修正・更新記憶、秤量判定等の各種制御を実行するものである。
　よって、上記発明特定事項に関しては両者に相当関係が有る。
　
（５−１−４）
　本件出願発明１の「記憶手段から前記計量指示情報を読み出して表示部に表示し、前記計量部により前記各配合材料の計量を行い、該計量値が前記読み出した計量指示情報に従っていると判断した計量結果を前記計量指示情報に対応付けて作業履歴記憶部に記録する通常モード』と、引用発明１の『秤量モード（秤量ルーチン１２０）が選択された場合、組成物を識別するための識別記号（コード１４ａ）及び調合量（１４ｂ）が入力されると、制御手段（ＣＰＵ３６）は、組成物の識別記号（コード１４ａ）、調合量（１４ｂ）、成分名（１４ｄ）、配合比率（１４ｅ）及び配合量（１４ｆ）を表示手段（液晶表示器１４）に表示させ、各成分の秤量作業が順次実施される毎に各成分について、受け台（１２）上の重量変化（秤量１４ｃ）を表示手段（液晶表示器１４）に表示させつつ、各成分の配合量（１４ｆ）と一致すると音声出力手段（スピーカ３８）に適量通報音を発するようにさせ』る『秤量モード』とを対比する。
　引用発明１の『秤量モード』において、記憶手段（ＲＡＭカード）から配合データを読み出して表示手段（液晶表示器１４）に表示させ、各成分の秤量作業が順次実施される毎に各成分について、適量が秤量されているか否か判定している。
　よって、上記発明特定事項に関しては、記憶手段から計量指示情報を読み出して表示部に表示し、計量部により各配合材料の計量を行い、計量値が読み出した計量指示情報に従っているか否か判断する配合計量作業モード、である点で両者は共通する。
　しかし、計量結果を計量指示情報に対応付けて作業履歴記憶部に記録することに関し、本件出願発明１の「通常モード」では、そのことが特定されているのに対し、引用発明１の『秤量モード』では、そのことが特定されていない点で相異する。
　
（５−１−５）
　本件出願発明１の「通常モードによる配合計量作業に対して調整をする旨の操作がなされた場合には、前記計量指示情報に設定されていない材料も選択可能として前記計量部により配合材料の計量を行い、該配合材料の計量結果を前記通常モードによる配合計量作業と一連の配合計量作業として前記作業履歴記憶部に記録する調整モード」と、引用発明１の『データ操作モード（データ操作ルーチン１３０）が選択され、配合データの修正がされる場合、修正の対象の組成物を識別するための識別記号（コード１４ａ）が入力されると、制御手段（ＣＰＵ３６）は、識別記号（コード１４ａ）で特定される配合データを記憶手段（ＲＡＭカード）から読み出し書き込み手段（ドライブ３０ａ、３０ｂ）を介して読み取って、配合データの内容を表示手段（液晶表示器１４）に表示させ、修正項目が選択されて修正内容が入力されると、修正内容を表示手段（液晶表示器１４）に表示させ修正完了まで修正内容を記憶しつつ、修正完了時には読み出し書き込み手段（ドライブ３０ａ、３０ｂ）を介して記憶手段（ＲＡＭカード）の配合データを更新させる』『データ操作モード』とを対比する。
　引用発明１の『データ操作モード』において、秤量モードによる秤量作業で利用される配合データの修正がされる場合には、配合データの修正作業の結果を記憶手段（ＲＡＭカード）に記憶させている。
　よって、上記発明特定事項に関しては、配合計量作業モードに対して配合材料の計量指示情報の調整をする旨の操作がなされた場合には、調整結果を調整前の配合材料の計量指示情報と関連付けて記憶部に記録する計量指示情報の記憶更新モード、である点で両者は共通する。
　しかし、計量指示情報を記憶更新することに関し、本件出願発明１の「調整モード」では、「計量指示情報に設定されていない材料も選択可能として前記計量部により配合材料の計量を行い、該配合材料の計量結果を前記通常モードによる配合計量作業と一連の配合計量作業として前記作業履歴記憶部に記録する」と特定されているのに対し、引用発明１の『データ操作モード』では、そのことが特定されていない点で相異する。
　
（５−１−６）
　本件出願発明１の「作業指示計量装置」と、引用発明１の『秤量器（１０）』とを対比する。
　引用発明１の『秤量器（１０）』は、秤量作業やデータ操作作業を指示するものである。
　よって、上記発明特定事項に関しては両者に相当関係が有る。
　
（５−２−総合的対比−両発明の一致点及び相違点）
　既述の対比に基づいて、両発明の発明特定事項の相当関係、共通点及び相異点を整理すると、本件出願発明１と引用発明１との実質的な一致点及び相違点は、次のとおりである。
（一致点）
「載置された材料の重量を計量する計量部と、
　少なくとも、計量対象となる複数の配合材料を指定するそれぞれの材料識別情報と該各配合材料の計量すべき値を表す指示値とを含む計量指示情報を配合計量作業毎に読み出し可能に記憶する記憶手段と、
　計量部による計量を制御する制御手段と、
を備え、
　制御手段は、
　記憶手段から計量指示情報を読み出して表示部に表示し、計量部により各配合材料の計量を行い、計量値が読み出した計量指示情報に従っているか否か判断する配合計量作業モードと、
　配合計量作業モードに対して配合材料の計量指示情報の調整をする旨の操作がなされた場合には、調整結果を調整前の配合材料の計量指示情報と関連付けて記憶部に記録する計量指示情報の記憶更新モードと、
　によって計量部による計量を制御する
　作業指示計量装置。」
　
（相違点１）
　記憶手段に記憶される計量指示情報に含まれる各配合材料の計量すべき値を表す指示値に関し、本件出願発明１が「指示重量値」と特定されているように絶対値であるのに対し、引用発明１では『配合比率（１４ｅ）』と特定されているように相対値である点。
　
（相違点２）
　計量結果を計量指示情報に対応付けて作業履歴記憶部に記録することに関し、本件出願発明１の「通常モード」では、そのことが特定されているのに対し、引用発明１の『秤量モード』では、そのことが特定されていない点。　
（相違点３）
　計量指示情報を記憶更新することに関し、本件出願発明１の「調整モード」では、「計量指示情報に設定されていない材料も選択可能として前記計量部により配合材料の計量を行い、該配合材料の計量結果を前記通常モードによる配合計量作業と一連の配合計量作業として前記作業履歴記憶部に記録する」と特定されているのに対し、引用発明１の『データ操作モード』では、そのことが特定されていない点。
　
【第６−当審の判断−相違点について−容易想到性】
（６−１−相違点１について）
　記憶手段に記憶される計量指示情報に含まれる各配合材料の計量すべき値を表す指示値に関し、引用発明１では『配合比率（１４ｅ）』と特定されているように相対値であるが、調合量（１４ｂ）が入力されると配合比率（１４ｅ）と演算されて配合量（１４ｆ）が算出され、配合量（１４ｆ）が各配合材料の計量すべき値を表す指示重量値として、表示手段（液晶表示器１４）に表示されることから、引用発明１の記憶手段に記憶される『配合比率（１４ｅ）』を、本件出願発明１のように「指示重量値」として記憶させることは、当業者が容易に成し得る設計事項と言うべきである。
　
（６−２−相違点２について）
　引用文献３の【請求項５】に『製品の製造に際し当該製品についてその原料の秤量作業を補助するシステムであって、当該製品の製造に使用する原料情報を作業方法を含めた製品処方を含めてあらかじめデータベース化しておくとともに一括して表示可能とし、かつ作業者は任意の原料を自由に選択でき、作業担当者名を含む作業結果を各秤量原料ごとに記録可能としたことを特徴とする秤量システム。』と記載されている。
　よって、引用文献３の上記記載から、次の発明（以下『引用発明３』という）が認定できる。
（引用発明３）
『記憶手段から計量指示情報を読み出して表示部に表示し、計量部により各配合材料の計量を行い、計量結果を計量指示情報に対応付けて作業履歴記憶部に記録すること。』
　引用発明１も引用発明３も、共に、記憶手段から計量指示情報を読み出して表示部に表示し、計量部により各配合材料の計量を行うものであるから、引用発明３の教示するところにより、引用発明１の『秤量モード』において、計量結果を計量指示情報に対応付けて作業履歴記憶部に記録することは、当業者が容易に成し得る設計事項と言うべきである。
　
（６−３−相違点３について）
　引用文献２の段落【０００５】、【００１１】〜【００１４】には、次のことが記載されている。なお、当審は、下記『引用発明２』の認定のために特に参照すべき箇所に下線を付した。
『【０００５】
　本発明は、
塗装現場での手調色による継ぎ足し配合に適し、調色中及び調色終了時の配合デ−タを記憶・表示できる塗料調色用計量装置を提供する
・・・
　【００１１】
　表示装置３は、秤台２から送られた重量値を処理する上記演算機能部と、塗料名、配合重量、配合比率などを表示するための表示画面を有する表示部４と、入力キ−を備えた操作パネル部５と、これら表示内容を出力するプリンタ−６及び外部パソコン等との連動機能を有する出力部７、演算処理された
配合デ−タを読み込む記憶部
　【００１２】
　図２において、配合する原色塗料の番号或いは塗料名を操作パネル部５でキ−入力し（Ｓ１）、その原色塗料の秤台２で計量された重量値を読み込まれ、表示部４に表示される（Ｓ２、３）。この操作を配合する各原色塗料夫々について行う。さらに既入力済みの原色塗料を再度追加注入する時は、該原色塗料の番号或いは塗料名を呼び出し、その原色塗料の秤台２で計量された重量値が読み込まれ、表示部４に表示される（Ｓ４、５）。
　【００１３】
　次いで塗色確認のために塗板を作成する（Ｍ１）。
その際、容器１から抜き取られる塗料の量は計量・記憶される。色が不一致の場合には、新たな原色又は既入力済みの原色塗料を追加注入する操作を繰り返す。
これら演算処理された配合デ−タは、必要に応じて記憶部に読み込ませる（Ｓ７、８）。
【００１４】
【発明の効果】
　本発明によれば、
調色された塗料の実際の配合比率を所望により記憶することができるので、熟練作業者による微調整によって調色された色が、一般作業者でもかかる配合比率を再表示することにより、非常に容易に再現することができる。
　よって、引用文献２の上記記載から、次の発明（以下『引用発明２』という）が認定できる。
（引用発明２）
『計量指示情報（
配合デ−タ
新たな原色塗料
調色中及び調色終了時の配合デ−タを記憶
　引用発明１も引用発明２も、共に、記憶手段から計量指示情報を読み出して表示部に表示し、計量部により各配合材料の計量を行うものであるから、引用発明２の教示するところにより、引用発明１の『データ操作モード』において、計量指示情報に設定されていない材料も選択可能として計量部により配合材料の計量を行い、配合材料の計量結果を通常モードによる配合計量作業と一連の配合計量作業として作業履歴記憶部に記録することは、当業者が容易に成し得る設計事項と言うべきである。
　
（６−４−容易想到性についての総合的判断）
　そして、本件出願発明１の作用効果も、既述の引用発明１、引用発明２及び引用発明３から、当業者が予測可能なものであって格別のものではない。
　よって、本件出願発明１は、引用発明１、引用発明２及び引用発明３に基づいて、当業者が容易に発明をすることができたものである。
　
【第７−審判請求人の主張について】
　本件出願発明１と引用発明１との上記相違点のうち、特に相違点２及び相違点３を挙げて、引用発明２及び引用発明３からでは、本件出願発明１の特徴点である通常モードと調整モード両方の計量結果を一連のものとして記録する点に想到することは困難であって、その特徴点に裏付けられた作用効果は予測を超えているから、原査定は取り消されるべきである旨、審判請求人は概略主張する。
　しかし、本件出願発明１の容易想到性については、その作用効果も踏まえて、上記【第６−当審の判断−相違点について−容易想到性】で説示したとおりであるから、審判請求人の主張は採用できない。
　
【第８−むすび】
　以上のとおり、本件出願発明１は、引用発明１、引用発明２及び引用発明３に基づいて、当業者が容易に発明をすることができたものであるから、特許法第２９条第２項の規定により特許を受けることができない。
　したがって、他の請求項２、３、４に係る発明について審理するまでもなく、本件出願は拒絶すべきものである。
　よって、結論のとおり審決する。